(57)【要約】【課題】    変圧器室設備において、資材費および施工費を低減する。【解決手段】  変圧器３1〜３4を手前側に配置固定し、後方側に支柱５1〜５4を配置固定して、支柱５1〜５4の上端に水平腕金８を取り付け、水平腕金８に取り付けた高圧ピン碍子１１に着雪防止形屋外用架橋ポリエチレン絶縁電線よりなる一次側配電線１２を架線する。支柱５2の高さ方向の中途部に支持金物１３を固定し、支柱５3，５4の高さ方向の中途部に軽量腕金１４を固定し、支持金物１３に一次側開閉器１５1〜１５4を取り付け、軽量腕金１４に３極連動型一次側開閉器１６1〜１６3を取り付ける。一次側配電線１２と一次側開閉器１５1〜１５4との間、一次側配電線１２と３極連動型一次側開閉器１６1〜１６3との間を、それぞれ被覆貫通型コネクタ１７1〜１７7により分岐した分岐線１８1〜１８4，１９1〜１９3を介して接続した。【選択図】      図１
2005039938.tif 000002
【特許請求の範囲】
【請求項１】
配電線路電圧から中高層集合住宅用電圧に変圧する変圧器を備える変圧器室設備において、
複数の変圧器を手前側に配置固定し、
後方側に複数の支柱を配置固定して、
これらの支柱の上方部分に取り付けた複数の碍子を介して一次側配電線を配設するとともに、
前記支柱に水平方向に架設した支持金物および軽量腕金に複数の一次側開閉器を取り付け、
前記一次側配電線から分岐した分岐線を前記一次側開閉器に接続したことを特徴とする変圧器室設備。
【請求項２】
前記支柱が、角型支柱であることを特徴とする請求項１に記載の変圧器室設備。
【請求項３】
前記複数の碍子が、前記複数の支柱の上方部分にそれぞれ垂直方向に並置して取り付けられていることを特徴とする請求項１に記載の変圧器室設備。
【請求項４】
前記複数の碍子が、前記複数の支柱の上端部に取り付けられた水平腕金にそれぞれ水平方向に並置して取り付けられていることを特徴とする請求項１に記載の変圧器室設備。
【請求項５】
前記支持金物および／または軽量腕金が、角型クランプおよび押え金具で前記支柱に着脱自在に取り付けられていることを特徴とする請求項１に記載の変圧器室設備。
【請求項６】
前記押え金具が、前記支持金物が嵌り込む凹部と、前記軽量腕金が嵌り込む凹部とを階段状に有することを特徴とする請求項５に記載の変圧器室設備。
【請求項７】
前記一次側配電線が着雪防止形屋外用架橋ポリエチレン絶縁電線で構成されており、この一次側配電線から被覆貫通型コネクタを介して分岐した分岐線が前記一次側開閉器に接続されていることを特徴とする請求項１から６のいずれかに記載の変圧器室設備。
【発明の詳細な説明】
【技術分野】
【０００１】
本発明は、配電線路電圧から中高層集合住宅などの大口需要家における商用電圧に変圧する変圧器室設備に関するものであり、特に、資材費を低減するとともに、施工費を低減するようにした変圧器室設備に関する。
【背景技術】
【０００２】
６．６ｋｖの配電線路からマンション，アパートなどの中高層集合住宅における大口需要家への２００Ｖや１００Ｖの商用電圧への変電は、通常、中高層住宅の１階や地階に設けられた変圧器室を利用して行っている。
【０００３】
２００Ｖ電圧は、例えば、エレベータや貯水槽タンクの汲み上げモータなどの動力関係に用いられ、１００Ｖ電圧は、各戸家庭の照明その他の各種家庭電器用に使用される。
【０００４】
変圧器室については、社団法大日本電設工業協会発行の「中高層集合住宅の幹線方式指針Ｊ Ｅ Ｃ Ａ1024」に設置基準が規定されているが、通常、変圧器室は、中高層集合住宅側から電力会社に貸し室として提供されるため、その間口，奥行き，天井高さなどがまちまちである。このため、変圧器室設備の施工においては、提供された変圧器室に応じて、現場で金属製の丸パイプを切断し、コンクリート床面の複数箇所に支柱となる丸パイプをアンカーボルトなどにより固定して、これらの支柱に対して丸パイプを間口方向および奥行き方向に組み付けて、全体として枠状に組み立てて、変圧器，一次側配電線および一次側開閉器などを設置していた。
【０００５】
このような、変圧器室設備の現場施工については、各電力会社などにおいてそれぞれ規定された社外秘の施工マニユアルなどに記載された施工法が採用されており、特に、公知の特許文献や非特許文献は存在しない。
【発明の開示】
【発明が解決しようとする課題】
【０００６】
しかしながら、上記のような、丸パイプを現場で切断して枠状に組み立てる変圧器室設備では、総部品点数が、例えば、１４０〜１５０点と多いため資材費が嵩み、また現場での加工が多いため、施工時間が長くなり、総コストが高くなるという問題点があった。
【０００７】
また、枠状に組み立てた変圧器室設備においては、手前側の支柱が邪魔になって、一次側開閉器設置などの施工作業性が悪くなり、施工後のメンテナンス性も悪いという問題点があった。
【０００８】
そこで、本発明は、上記の問題点を解決し、総部品点数および資材費を低減するとともに、現場での加工を極力低減して施工費を低減でき、しかも施工作業性およびメンテナンス作業性が優れた変圧器室設備を提供することを目的とする。
【課題を解決するための手段】
【０００９】
本発明の変圧器室設備は、上記課題を解決するために、配電線路電圧から中高層集合住宅用電圧に変圧する変圧器を備える変圧器室設備において、
【００１０】
複数の変圧器を手前側に配置固定し、後方側に複数の支柱を配置固定して、これらの支柱の上方部分に取り付けた複数の碍子を介して一次側配電線を配設するとともに、前記支柱に水平方向に架設した支持金物および軽量腕金に複数の一次側開閉器を取り付け、前記一次側配電線から分岐した分岐線を前記一次側開閉器に接続したことを特徴としている（請求項１）。
【００１１】
本発明は、前記支柱が、角型支柱であることを特徴としている（請求項２）。
【００１２】
本発明は、前記複数の碍子が、前記複数の支柱の上方部分にそれぞれ垂直方向に並置して取り付けられていることを特徴としている（請求項３）。
【００１３】
本発明は、前記複数の碍子が、前記複数の支柱の上端部に取り付けられ
た水平腕金にそれぞれ水平方向に並置して取り付けられていることを特徴としている（請求項４）。
【００１４】
本発明は、前記支持金物および／または軽量腕金が、角型クランプおよび押え金具で前記支柱に着脱自在に取り付けられていることを特徴としている（請求項５）。
【００１５】
本発明は、前記押え金具が、前記支持金物が嵌り込む凹部と、前記軽量腕金が嵌り込む凹部とを階段状に有することを特徴としている（請求項６）。
【００１６】
本発明は、前記一次側配電線が着雪防止形屋外用架橋ポリエチレン絶縁電線で構成されており、この一次側配電線から被覆貫通型コネクタを介して分岐した分岐線が前記一次側開閉器に接続されていることを特徴としている（請求項７）。
【発明の効果】
【００１７】
上記の変圧器室設備によれば、変圧器を手前側に配置固定し、後方側に支柱を配置固定したので、従来の丸パイプを枠状に組み立てた変圧器室設備に比較して、総部品点数を大幅に低減して資材費を大幅に低減できるとともに、現場作業が低減されるために、施工コストを大幅に低減することができ、総コストを大幅に低減することができる。しかも、手前側に支柱が存在しないため、施工時の作業性およびメンテナンス作業性が優れている。
【００１８】
前記支柱に、角型支柱を使用することにより、角型支柱は、丸パイプに比較して強度が大きいため、支柱の本数を低減することができ、特に、手前側の支柱を廃止して、後方部のみに設置することが可能になり、部品点数を低減することができ、資材費および施工費を低減することができる。また、角型支柱は、丸パイプに比較して、その平面部を利用してラック金物，支持金物および軽量腕金などの取り付けが容易で、その取り付け姿勢を安定にし、かつ取付強度を大きくすることができる。
【００１９】
また、複数の碍子を、前記複数の支柱の上方部分にそれぞれ垂直方向に並置して取り付けるようにすることにより、碍子の取り付けのための水平腕金を必要としないので、水平腕金の製作が不要で資材費が低減できるのみならず、支柱に水平腕金を取り付ける作業も不要で施工費も低減できるので、総コストを低減することができる。
【００２０】
また、前記複数の碍子を、前記複数の支柱の上端部に取り付けられた水平腕金にそれぞれ水平方向に並置して取り付けるようにすることにより、複数の碍子を支柱に垂直方向に並置して取り付けるものに比較して、天井高さが小さい変圧器室において、施工が可能になる利点がある。
【００２１】
なお、このように、支柱に対して水平腕金を取り付ける場合は、支柱を、床面に固定するベース部材と、支柱部材と、水平腕金とを、別々に構成するとよい。このように、ベース部材と、支柱部材と、水平腕金とを、別々に構成すると、例えば、支柱部材として、配電線路の電柱に使用していた軽量腕金を流用することができるし、水平腕金としてＧＷ用腕金Ｃ型を流用することができる。そのような既存品を流用することによって、新規に水平腕金や軽量腕金を製作する場合に比較して、資材の調達が容易で、しかも資材費の低減が図れる。
【００２２】
また、前記支持金物および／または軽量腕金を、角型クランプおよび押え金具で前記支柱に着脱自在に取り付けるようにすることにより、支持金物や軽量腕金を支柱に溶接する場合に比較して、溶接装置などの特別な装置を必要とすることなく、狭い変圧器室内での取り付け作業が容易であり、また、レイアウト変更時などに対応が容易である。
【００２３】
また、前記押え金具を、前記支持金物が嵌り込む凹部と、前記軽量腕金が嵌り込む凹部とを階段状に有するように形成することにより、単一の押え金具を支持金物用にも軽量腕金用にも共用することができるようになり、押え金具の種類を低減することができ、別々の押え金具を製作する場合に比較して、資材費を低減することができるだけでなく、押え金具の管理が容易になる。
【００２４】
また、前記一次側配電線を着雪防止形屋外用架橋ポリエチレン絶縁電線で構成し、この一次側配電線から被覆貫通型コネクタを介して分岐した分岐線を前記一次側開閉器に接続することにより、一次側配電線と分岐線との接続作業が被覆貫通型コネクタによりワンタッチで可能になり、短時間で接続できるため、施工費を低減できる。
【発朋を実施するための最良の形態】
【００２５】
以下、本発明の変圧器室設備の実施形態について、図面を参照して説明する。
【００２６】
図１は、本発明の第１実施形態に係る水平配列型の変圧器室設備の概略構成斜視図である。変圧器室のコンクリート床面１には、１段高い変圧器室設備設置部２を備えている。このように、床面１に１段高い変圧器室設備設置部２を設けるのは、変圧器室内に雨水などが浸入した場合に、変圧器などの設備の濡れに起因する腐食や漏電などの事故を防止するためである。
【００２７】
前記変圧器室設備設置部２上の手前側には、４台の変圧器３1〜３4が所定間隔で横一列に配置され、それぞれトランスキーパー４1〜４4によって床面１に固定されている．４台の変圧器３1〜３4の内、左側の２台の変圧器３1，３2は、例えば１００Ｖ用のものであり、右側の２台は、例えば１００Ｖ用の変圧器３3，３4の二次側巻線を直列接続して、中性線付きの２００Ｖ電圧を得るものである。
【００２８】
変圧器３1〜３4の後方には、４本の断面形状が４角形の支柱５1〜５4が配置固定され、右側端部の手前側と後方部との中間部には、必要に応じて支柱５5が配置固定されている。支柱５1〜５5は、例えば、図２（Ａ）に示すように、変圧器室設備設置部２に固定されたベース部材６と、このベース部材６に嵌め込まれて固定されている支柱部材７と、この支柱部材７の上端部に固定されて水平方向に延びる水平腕金８とで構成されている。
【００２９】
ベース部材６は、図２（Ｂ）に示すように、水平板部材６ａの中央部にＬ字状の４個の鋼板６ｂを略４角筒状に配置して固定し、各鋼板６ｂの外面の中心線からずれた位置にそれぞれ補強部材６ｃを固定したもので、前記水平板部材６ａの周辺部には、適当な数のアンカーボルト取付孔６ｄが形成されており、このアンカーボルト取付孔６ｄを利用して、水平板部材６ａを、アンカーボルト（図示省略）で変圧器室設備設置部２に固定している。このアンカーボルト取付孔６ｄは、図示するように、長孔状に形成すると、アンカー打ち込み作業が容易になる。
【００３０】
水平板部材６ａの４個の鋼板６ｂで形成される略４角筒状部分に、断面形状が４角形の支柱部材７の基部を挿入して、図２（Ｃ）に示すように、上下の２箇所でボルト６ｅ，６ｆにより鋼板６ｂと支柱部材７とを、ぐらつきが無いように連結固定している。ボルト６ｅ，６ｆは、図示するように、９０°方向を異ならせて取り付けると、支柱部材７に掛かる力が、４個の鋼板６ｂに分散されるので望ましいが、同一方向に取り付けてもよい。なお、前述のように、補強部材６ｃを、各鋼板６ｂの中心線からずれた位置に固定するのは、ボルト６ｅ，６ｆを各鋼板６ｂの中心線位置に取り付けるためである。
【００３１】
前記角形の支柱部材７および／または水平腕金８は、新規に製作してもよいが、例えば、支柱部材７には既設の配電設備における電柱の軽量腕金を流用し、水平腕金８にはＧＷ用腕金Ｃ型を流用することができる。そのようにすると、支柱部材７および／または水平腕金８を新規に製作する場合に比較して、資材費を低減することができるし、資源の有効利用により省エネルギー化ができ、環境保護上も望ましい。
【００３２】
また、前記支柱５の内、左端の支柱５１には、高さ方向の中途部２箇所に、軽量ラック金物９が水平方向手前側に伸びるように取り付けられている。この軽量ラック金物９には、３本の一次側配電線（高圧母線）１０が一括して立上って係止されている。この一次側配電線１０は、例えば、高圧および特高の架空電線路において縁廻り用電線に用いる縁廻り用架橋ポリエチレン絶縁電線で構成されている。
【００３３】
前記各支柱５1〜５5の上端部に取り付けられた水平腕金８には、それぞれ３個の高圧ピン碍子１１が固定されており、それぞれの高圧ピン碍子１１により、前記３本の一次側配電線１０またはこの一次側配電線１０に接続された着雪防止形屋外用架橋ポリエチレン絶縁電線よりなる３本の一次側配電線（高圧母線）１２1〜１２3が架線されている。
【００３４】
また、前記支柱５1〜５5の内、左端から２番目の支柱５2における高さ方向の中途部には、水平方向に角筒状の屋内変圧器用ＰＣ支持金物（以下、支持金物という）１３が取り付けられている。また、前記支柱５3，５4における高さ方向の中途部には、水平方向に角筒状の軽量腕金１４が取り付けられている。
【００３５】
前記支柱５2の中途部への支持金物１３の取り付け、および支柱５3，５4の中途部への軽量腕金１４の取り付けは、溶接によってもよいが、溶接装置が必要であり、溶接時の火花による火災などの危険性もあるので、後述するように、角型クランプおよび押え金具を利用して、着脱自在に取り付けることが望ましい。
【００３６】
このようにして支柱５2に取り付けられた支持金物１３には、１００Ｖ用変圧器３1の一次側開閉器（ＰＣ＝プライマリー・カットアウト）１５1，１５2および変圧器３2の一次側開閉器１５3，１５4が取り付けられている。
【００３７】
また、前記支柱５3，５4における高さ方向の中途部に取り付けられた軽量腕金１４には、２台の１００Ｖ用変圧器を直列接続して２００Ｖ用変圧器として使用する変圧器３3，３4用の３極連動型一次側開閉器１６1，１６2，１６3が取り付けられている。この３極連動型一次側開閉器１６1，１６2，１６3は、そのうちの１極でも遮断されると、安全のため他の２極とも連動して遮断されるように構成されたものである。
【００３８】
前記一次側配電線１２は、前述のように、着雪防止形屋外用架橋ポリエチレン絶縁電線で構成されており、被覆貫通型コネクタ１７1〜１７4により接続分岐された接続線１８1〜１８4が、一次側開閉器１５1〜１５4に接続されている。変圧器３1用の一開閉器１５1，１５2用の分岐線１８1，１８2は、一次側配電線１２1，１２2から分岐されており、変圧器３2用の一次側開閉器１５3，１５4用の分岐線１８3，１８4は、一次側配電線１２2，１２3から分岐されている。
【００３９】
前記一次側配電線１２1， １２2，１２3には、前記同様に、被覆貫通型コネクタ１７5，１７6，１７7により接続分岐された分岐線１９1，１９2，１９3が、３極連動型一次開閉器１６1，１６2，１６3に接続されている。
【００４０】
前記各変圧器３1〜３2から出た二次側配電線は、各戸需要家の１００Ｖ用電源配線として使用され、変圧器３3〜３4から出た２００Ｖ用二次配電線は、共有設備であるエレベータや貯水タンクの汲み上げポンプなどの２００Ｖ用動力電源配線として使用される。
【００４１】
上記の構成の水平配列型の変圧器室設備によれば、複数の変圧器３1〜３4を手前側に配置固定し、後方側に複数の支柱５1〜５4を配置固定したので、従来の丸パイプを枠状に組み立てた変圧器室設備に比較して、総部品点数が約４０％程度も低減され、資材費が大幅に低減される。また、手前側に支柱５が存在しないので、施工時の作業性が優れているのみならず、メンテナンス時の作業性もよい。さらに、現場での丸パイプの切断などの加工がなく、施工作業が簡単で、従来の約３５％程度の短時間で施工でき、施工費が低減できるため、総コストを従来の約３０％程度と大幅に低減することができる。しかも、支柱５がベース部材６と支柱部材７と水平腕金８とにより構成されているので、変圧器室の天井高さが小さい場合に好適なものである。なお、変圧器室の天井高さがさらに小さい場合は、支柱部材７として適当な高さ（長さ）のものを使用すればよい。
【００４２】
前述のように、各支柱５2〜５4に対する支持金物１３および軽量腕金１４の固定は、図３に示すような、角型クランプ２０および押え金具２３を使用するとよい。角型クランプ２０は、コ字状のクランプ本体２１の両脚部２１ａ，２１ｂの端部に雄ねじ２２を形成し、この両脚部２１ａ，２１ｂを押え金具２３の孔に挿通して、雄ねじ２２にナット２４を螺着するようにしたものである。
【００４３】
前記押え金具２３は、図４（Ａ）（Ｂ）に示すように、底面部２５およびその両端部から立ち上る立上部２６を有する断面がコの字状で、底面部２５に長さ方向に沿って長孔２７と、この長孔２７から所定間隔で丸孔２８および半長孔２９を連続一体に形成したものである。前記長孔２７および半長孔２９の幅は、角型クランプ２０のクランプ本体２１の脚部２１ａ，２１ｂの直径よりも若干大きく形成されている。したがって、この長孔２７と、丸孔２８に挿通された角型クランプ２０のクランプ本体２１は、長孔２７および半長孔２９内を水平方向および垂直方向にスライドさせることが可能である。
【００４４】
今、軽量腕金１４の高さ寸法Ｈ１と支持金物１３の高さ寸法Ｈ２とが、Ｈ１＞Ｈ２であるとすると、前記押え金具２３の立上部２６，２６には、図４（Ｃ）に示すように、軽量腕金１４が嵌り込む大きい凹部３０ａと、支持金物１３が嵌り込む小さい凹部３０ｂとが階段状に形成されている。
【００４５】
前記角型クランプ２０および押え金具２３は、図５に示すように、２個１組で使用し、第１の角型クランプ２０Ａにおけるクランプ本体２１の一方の脚部２１ａを、第１の押え金具２３Ａの長孔２７に挿通するとともに、第２の角型クランプ２０Ｂのクランプ本体２１の一方の脚部２１ａを、前記第１の押え金具２３Ａの丸孔２８に挿通する。また、第１の角型クランプ２０Ａのクランプ本体２１の他方の脚部２１ｂを、第２の押え金具２３Ｂの長孔２７に挿通するとともに、第２の角型クランプ２０Ｂのクランプ本体２１の他方の脚部２１ｂを、第２の押え金具２３Ｂの丸孔２８に挿通する。
【００４６】
この角型クランプ２０Ａ，２０Ｂおよび押え金具２３Ａ，２３Ｂを、支柱部材７にラフに取り付けておき、支柱部材７と押え金具２３Ａ，２３Ｂとの間に、軽量腕金１４または支持金物１３を横方向から挿入し、次に、押え金具２３Ａ，２３Ｂを角型クランプ２０Ａ，２０Ｂに対して相対的に垂直移動させ、ナット２４を締め付けることにより、一人で支柱部材７に軽量腕金１４または支持金物１３を簡単に取り付けることができる。
【００４７】
より詳しく説明すると、図６（Ａ）に示すように、角型クランプ２０Ａ，２０Ｂを１組にして、角型クランプ本体２１，２１と押え金具２３Ａ，２３Ｂとの間に、支柱部材７および軽量腕金１４を挟んで、ナット２４を締め付けることにより、押え金具２３Ａ，２３Ｂの立上部２６，２６の大きい凹部３０ａに軽量腕金１４が嵌り込んで、支柱部材７に軽量腕金１４を強固に、かつ着脱自在に取り付けることができる。
【００４８】
また、図６（Ｂ）に示すように、角型クランプ２０Ａ，２０Ｂを１組にして、
角型クランプ本体２１，２１と押え金具２３Ａ，２３Ｂとの間に、支柱部材７および支持金物１３を挟んで、ナット２４を締め付けることにより、押え金具２３Ａ，２３Ｂの立上部２６，２６の小さい凹部３０ｂに支持金物１３が嵌り込んで、支柱部材７に支持金物１３を強固に、かつ着脱自在に取り付けることができる。
【００４９】
このように、押え金具２３の立上部２６，２６に、大きい凹部３０ａおよび小さい３０ｂを階段状に形成しておくことにより、１種類の押え金具２３を、大きさが異なる軽量腕金１４用と支持金物１３用とに共用することができる。
【００５０】
なお、支持金物１３と軽量腕金１４の寸法が同一の場合は、押え金具２３の立上部２６，２６に単一の大きさの凹部３０（図示省略）を形成しておけば、この凹部３０に支持金物１３または軽量腕金１４が嵌り込んで、支柱部材７に強固に、かつ着脱自在に取り付けることができる。
【００５１】
このように、支柱５に支持金物１３および／または軽量腕金１４を、角型クランプ２０および押え金具２３を使用して着脱自在に取り付けるようにすると、溶接装置を使用することなく、支柱５に支持金物１３や軽量腕金１４を一人作業で容易に取り付けることができる。また、溶接による固定とは異なり、変圧器室設備のレイアウト変更などの際は、ナット２４を緩めて、角型クランプ２０および押え金具２３を簡単に取り外すことができ、何度でも繰り返し再使用することができる。
【００５２】
一次側配電線１２と分岐線１８，１９との接続は任意の方法が採用できる。図７は、図１における被覆貫通型コネクタ１７による分岐線接続部分の構成を示す。すなわち、一次側配電線１２として、高圧縁回し用エチレンプロピレンゴム絶縁電線に代えて着雪防止形屋外用架橋ポリエチレン絶縁電線を採用し、この一次側配電線１２と高圧引下げ用架橋ポリエチレン絶縁電線よりなる分岐線１８および／または分岐線１９とを、安価な被覆貫通型コネクタ１７によって接続している。なお、分岐線１８および／または分岐線１９の端部近傍部分は、バインド線３１によって一次側配電線１２に固定し、分岐線１８，１９の端部を絶縁キャップ３２により被覆している。
【００５３】
図８（Ａ）はＣ型コネクタによる一次側配電線１２と分岐線１８，１９との接続部分を示す。水平配列型の場合は、縁廻り用架橋ポリエチレン絶縁電線よりなる一次側配電線１２と分岐線１８，１９をＣ型コネクタ３３により接続し、一次側配電線１２を高圧ピン碍子１１でターンさせてバインド線３４でバインドするとともに、一次側配電線１２と分岐線１８，１９とをバインド線３５により結合し、分岐線１８，１９を高圧ピン碍子１１の頂部に屋内変圧器用天掛けバインド３６により固定している。なお、図８（Ａ）では、一次側配電線１２の端部を被覆する絶縁キャヅプは、一次側配電線１２の陰になって見えていない。
【００５４】
図９は、本発明に係る第２実施形態の垂直配列型の変圧器室設備における概略構成斜視図である。この第２実施形態の垂直配列型の変圧器室設備は、図１〜図６に示す第１実施形態における水平配列型の変圧器室設備と多くの部分で共通しているため、同一部分には、同一参照符号を付してその説明を省略する。
【００５５】
この第２実施形態の垂直配列型の変圧器室設備においては、図１〜図２に示す分割型の支柱５に代えて、図１０（Ａ）に示すように、一体型の支柱３７を用いている点が異なっている。すなわち、分割型の支柱５は、図２に示すように、ベース部材６と、支柱部材７と、水平腕金８とを別々の部材で構成して、ボルトで組み合わせて使用しているが、この垂直配列型の変圧器室設備における支柱３７は、そのベース部材３８、支柱部材３９および高圧ピン碍子１１の取付部材４０が一体に構成されている。
【００５６】
なお、ベース部材３８は、図１０（Ｂ）に示すように、アンカーボルト取り付け用の長孔３８ａを有し、ベース部材３８と支柱部材３９の基部とに、補強部材４１が固定されている。この垂直配列型の変圧器室設備の場合は、図１に示す水平配列型の変圧器室設備の場合と異なり、ベース部材６と支柱部材７とを連結するボルトが不要なため、補強部材４１は、角筒状の支柱部材３９における各面の中央線上に固定することができる。
【００５７】
前述のように、水平配列型の変圧器室設備は、高圧ピン碍子１１の取付部である水平腕金８を有することによって、変圧器室の天井高さが小さい場合に好適なものであるが、天井高さに余裕がある場合は、本実施形態に示すように、一体型の支柱３７を利用することが望ましい。このような一体型の支柱３７を使用すれば、分割型の支柱５と異なり、総部品点数が従来の約４５％程度も低減されて、資材費が低減できるとともに、現場での支柱３７の組み付け作業が不要になり、変圧器室設備の施工がより一層、簡単、かつ短時間で行えるようになり、施工費が従来の約２５％程度と大幅に低減できる。
【００５８】
この垂直配列型の変圧器室設備においても、一次側配電線１２と分岐線１８，１９との接続は、図７に示すように、被覆貫通型コネクタ１７を採用して行ってもよいし、Ｃ型コネクタを採用してもよい。図８（Ｂ）は、垂直配列型の変圧器室設備において、Ｃ型コネクタ３２を採用した場合の一次側配電線１２と分岐線１８，１９との接続部の構成を示す。この場合は、縁廻り用架橋ポリエチレン絶縁電線よりなる一次側配電線１２に分岐線１８，１９をＣ型コネクタ３３により接続し、一次側配電線１２と分岐線１８，１９とをバインド線４１により結合している。なお、一次側配電線１２は、高圧ピン碍子１１でターンさせて、バインド線４２でバインドしている。分岐線１８，１９の露出端部は、絶縁キャップ４３により被覆している。
【００５９】
上記第１，第２の実施形態は、それぞれ特定の構成について説明したが、本発明はこれらの実施形態に限定されるものではなく、本発明の精神を逸脱することなく、各種の変形が可能である。
【００６０】
例えば、水平配列型の変圧器室設備において、ベース部材と支柱部材とを一体化してもよいし、垂直配列型の変圧器室設備において、支柱３７を、ベース部材と、支柱部材および高圧ピン碍子取付部材とに区分してもよい。
【００６１】
また、上記実施形態では、変圧器が４台の場合について説明したが、中高層集合往宅の規模などに応じて、変圧器の設置数が、３台以下や、５台以上の場合にも、同様に実施できる。
【図面の簡単な説明】
【００６２】
【図１】本発明の第１実施形態に係る水平配列型の変圧器室設備の概略構成斜視図である。
【図２】（Ａ）は図１の変圧器室設備における支柱の分解斜視図、  （Ｂ）は（Ａ）の支柱のベース部材の拡大平面図、  （Ｃ）は（Ａ）の支柱のベース部材の拡大正面図である。
【図３】本発明に用いる角型クランプの正面図である。
【図４】（Ａ）は本発明に用いる押え金具の平面図、  （Ｂ）は（Ａ）の押え金具の正面図、  （Ｃ）は（Ａ）の押え金具の側面図である。
【図５】角型クランプおよび押え金具を２組ずつ用いて組み合わせた状態の斜視図である。
【図６】（Ａ）は図４の押え金具を用いて支柱に軽量腕金を取り付けた状態の側面図、  （Ｂ）は図４の押え金具を用いて支柱に支持金物を取り付けた状態の側面図である。
【図７】一次側配電線と分岐線とを被覆貫通型コネクタにより接続した状態の平面図である。
【図８】（Ａ）は水平配列型の変圧器室設備における一次側配電線と分岐線とをＣ型コネクタにより接続した状態の正面図、  （Ｂ）は垂直配列型の変圧器室設備における一次側配電線と分岐線とをＣ型コネクタにより接続した状態の正面図である。
【図９】本発明の第２実施形態に係る垂直配列型の変圧器室設備における概略構成斜視図である。
【図１０】（Ａ）は図９の垂直配列型の変圧器室設備における支柱の斜視図、  （Ｂ）は（Ａ）の支柱の平面図である。
【符号の説明】
【００６３】
３，３1〜３4                変圧器
５，５1〜５5                支柱
６                          ベース部材
７                          支柱部材
８                          水平腕金
１１                          高圧ピン碍子
１２，１２1〜１２3            一次側配電線（高圧母線）
１３                          支持金物
１４                          軽量腕金
１５1〜１５2                  一次側開閉器
１６1〜１６3                  ３極連動型一次側開閉器
１７                          被覆貫通型コネクタ
１８1〜１８4，１９1〜１９3     分岐線
２０，２０Ａ，２０Ｂ          角型クランプ
２３，２３Ａ，２３Ｂ          押え金具
２４                          ナット
３０，３０ａ，３０ｂ          凹部
３３                          Ｃ型コネクタ
３７，３７1〜３７4             支柱
【図１】
2005039938.tif 000003
【図２】
2005039938.tif 000004
【図３】
2005039938.tif 000005
【図４】
2005039938.tif 000006
【図５】
2005039938.tif 000007
【図６】
2005039938.tif 000008
【図７】
2005039938.tif 000009
【図８】
2005039938.tif 000010
【図９】
2005039938.tif 000011
【図１０】
2005039938.tif 000012